(57)【要約】【課題】モバイルカメラに好適な小型の撮像レンズを提供する。【解決手段】物体側から順に、所定の口径を有する開口絞りＳＤ、平凸形状の正の屈折力を有する第１レンズ１、メニスカス形状の正の屈折力を有する第２レンズ２、像面側の面Ｓ６が有効径の範囲内において曲率の向きが変化する変曲点をもつ非球面に形成された負の屈折力を有する第３レンズ３を含み、第１レンズ１〜第３レンズ３のレンズ系の焦点距離ｆ、第１レンズ１の焦点距離ｆ１、第２レンズ２の焦点距離ｆ２、第１レンズ１と第２レンズ２の光軸Ｌ上における間隔Ｄ２が、条件式（１）０．９≦│ｆ１／ｆ２│≦１．０、（２）０．２≦Ｄ２／ｆ≦０．３を満足する。これにより、レンズ全長を短くした、小型で諸収差が良好に補正された撮像レンズが得られる。【選択図】図１
2007310046.tif 000002
【特許請求の範囲】
【請求項１】
物体側から像面側に向けて順に配列された、
所定の口径を有する開口絞りと、
平凸形状の正の屈折力を有する第１レンズと、
メニスカス形状の正の屈折力を有する第２レンズと、
像面側の面が有効径の範囲内において曲率の向きが変化する変曲点をもつ非球面に形成された負の屈折力を有する第３レンズと、を含み、
前記第１レンズ〜第３レンズのレンズ系の焦点距離をｆ、前記第１レンズの焦点距離をｆ１、前記第２レンズの焦点距離をｆ２、前記第１レンズと第２レンズの光軸上における間隔をＤ２とするとき、条件式（１），（２）
（１）０．９≦│ｆ１／ｆ２│≦１．０
（２）０．２≦Ｄ２／ｆ≦０．３
を満足し、３群３枚から構成される、
ことを特徴とする撮像レンズ。
【請求項２】
前記第１レンズ、第２レンズ、及び第３レンズには、前記第３レンズの像面側の非球面の他に、少なくとも１つ以上の非球面が形成されている、
ことを特徴とする請求項１記載の撮像レンズ。
【請求項３】
前記第１レンズ、第２レンズ、及び第３レンズには、少なくとも１つのプラスチックレンズが含まれている、
ことを特徴とする請求項１又は２に記載の撮像レンズ。
【請求項４】
前記第１レンズのアッベ数をν１、前記第２レンズのアッベ数をν２、及び前記第３レンズのアッベ数をν３とするとき、条件式（３），（４）
（３）ν１−ν２＜１５
（４）ν１−ν３＜１５
を満足する、
ことを特徴とする請求項１ないし３いずれかに記載の撮像レンズ。
【請求項５】
前記第１レンズ〜第３レンズのレンズ系の焦点距離をｆ、前記第１レンズと第２レンズの光軸上における間隔をＤ２、前記第２レンズと第３レンズの光軸上における間隔をＤ４とするとき、条件式（５）
（５）（Ｄ２＋Ｄ４）／ｆ≦０．２５
を満足する、
ことを特徴とする請求項１ないし４いずれかに記載の撮像レンズ。
【発明の詳細な説明】
【技術分野】
【０００１】
本発明は、携帯電話機、携帯型パーソナルコンピュータ、携帯型音楽プレーヤ等の携帯情報端末装置に搭載されるＣＣＤ等の固体撮像素子を用いた小型のモバイルカメラに好適な撮像レンズに関する。
【背景技術】
【０００２】
従来、ＣＣＤ等の固体撮像素子を用いた電子撮像装置として、監視カメラ、ビデオカメラ等が知られており、これらは主として動画を撮影するために使用されていた。それ故に、ＣＣＤ及び撮像レンズとしては、それ程高い性能が要求されていなかった。
しかしながら、近年においては、デジタルスチルカメラの普及に伴い、固体撮像素子及び撮像レンズの高性能化が望まれるようになった。
その結果、ＣＣＤ等の固体撮像素子の著しい技術進歩により、フィルム式カメラの画像に近いものが得られるようになり、同時に、ＣＣＤ等の小型化、高画素化が達成されてきたため、デジタルスチルカメラ等に使用される撮像レンズとしても、高性能であると同時に、小型化、薄型化、低コスト化等が強く要望されるようになってきた。
【０００３】
ところで、従来の撮像レンズとしては、物体側から順に、物体側に凸面を向けたメニスカス形状の正の屈折力を有する第１レンズ、所定の口径を有する開口絞り、両凸形状の正の屈折力を有する第２レンズ、物体側に凹面を向けると共に像面側において変曲点をもつ非球面が形成された負の屈折力を有する第３レンズを備えたものが知られている（例えば、特許文献１参照）。
しかしながら、この撮像レンズにおいては、第１レンズと第２レンズの間に開口絞りを配置しているため、射出瞳位置が短くなり、射出角度を小さくした上で、全長を短くすることは困難である。
【０００４】
また、他の撮像レンズとしては、物体側から順に、所定の口径を有する開口絞り、物体側に凸面を向けたメニスカス形状の正の屈折力を有する第１レンズ、物体側に凹面を向けたメニスカス形状の正の屈折力を有する第２レンズ、物体側に凹面を向けると共に像面側において変曲点をもつ非球面が形成された負の屈折力を有する第３レンズを備えたものが知られている（例えば、特許文献２、特許文献３参照）。
しかしながら、これらの撮像レンズにおいては、第１レンズがメニスカス形状であるため、レンズの光軸に対する製造誤差感度が高くなってしまい、周辺性能を維持するのが困難になる。
【０００５】
【特許文献１】特開２００５−２８４１５３号公報
【特許文献２】特開２００５−３３８２３４号公報
【特許文献３】特開２００６−４７８５８号公報
【発明の開示】
【発明が解決しようとする課題】
【０００６】
本発明は、上記従来技術の問題点に鑑みて成されたものであり、その目的とするところは、小型化、薄型化、軽量化、低コスト化等を図りつつ、諸収差が良好に補正され、明るくて（Ｆ値が小さくて）、光学性能が高く、携帯電話機、携帯型パーソナルコンピュータ、携帯型音楽プレーヤ等の携帯情報端末装置に搭載されるモバイルカメラに好適な撮像レンズを提供することにある。
【課題を解決するための手段】
【０００７】
本発明の撮像レンズは、物体側から像面側に向けて順に配列された、所定の口径を有する開口絞りと、平凸形状の正の屈折力を有する第１レンズと、メニスカス形状の正の屈折力を有する第２レンズと、像面側の面が有効径の範囲内において曲率の向きが変化する変曲点をもつ非球面に形成された負の屈折力を有する第３レンズとを含み、上記第１レンズ〜第３レンズのレンズ系の焦点距離をｆ、上記第１レンズの焦点距離をｆ１、上記第２レンズの焦点距離をｆ２、上記第１レンズと第２レンズの光軸上における間隔をＤ２とするとき、条件式（１），（２）
（１）０．９≦│ｆ１／ｆ２│≦１．０
（２）０．２≦Ｄ２／ｆ≦０．３
を満足し、３群３枚から構成される、ことを特徴としている。
この構成によれば、第１レンズ及び第２レンズに正の屈折力、第３レンズに負の屈折力をもつようにレンズを配置することにより、適切なレンズバックを確保でき、赤外光カットフィルタあるいはカバーガラス等を容易に配置でき、又、第３レンズの像面側の面に有効径の範囲内において曲率の向きが変化する変曲点をもつ非球面を形成したことにより、諸収差を良好に補正することができ、さらに、開口絞りを最前に配置すると共に第１レンズを平凸形状としたことにより、全長を短縮しつつ射出角度を抑えることができる。
また、条件式（１），（２）を満たすことで、適切にパワーを配置でき、レンズ系の全長を短くしつつ、諸収差、特に非点収差、歪曲収差等を良好に補正することができる。
【０００８】
上記構成において、第１レンズ、第２レンズ、及び第３レンズには、第３レンズの像面側の非球面の他に、少なくとも１つ以上の非球面が形成されている、構成を採用することができる。
この構成によれば、第３レンズの像面側の非球面に加えて、少なくとも１つ以上の非球面を設けることで、諸収差を良好に補正することができ、明るい（Ｆ値の小さい）レンズでしかも高い光学性能を確保することができる。
【０００９】
上記構成において、第１レンズ、第２レンズ、及び第３レンズには、少なくとも１つのプラスチックレンズが含まれている、構成を採用することができる。
この構成によれば、少なくとも一つのプラスチックレンズを含めることにより、生産コストの低減、軽量化等が可能になり、又、非球面を容易に形成できるため、収差補正の自由度が増した分だけ、コンパクトな構成が可能となり、ガラス材料を用いる場合に比べて複雑な形状を容易に形成ないし加工することができる。
【００１０】
上記構成において、第１レンズのアッベ数をν１、第２レンズのアッベ数をν２、及び第３レンズのアッベ数をν３とするとき、条件式（３），（４）
（３）ν１−ν２＜１５
（４）ν１−ν３＜１５
を満足する、構成を採用することができる。
この構成によれば、条件式（３），（４）を満たすことにより、中心部から周辺部に亘る全域において、倍率色収差、軸上色収差を良好に補正することができ、明るくて（Ｆ値が小さくて）しかも高い解像力を得ることができる。
【００１１】
上記構成において、第１レンズ〜第３レンズのレンズ系の焦点距離をｆ、第１レンズと第２レンズの光軸上における間隔をＤ２、第２レンズと第３レンズの光軸上における間隔をＤ４とするとき、条件式（５）
（５）（Ｄ２＋Ｄ４）／ｆ≦０．２５
を満足する、構成を採用することができる。
この構成によれば、条件式（５）を満たすことにより、レンズ系全長を短く、かつ、レンズ系の外径寸法を小さくでき、小型化、薄型化を達成することができる。また、諸収差、特に非点収差及び歪曲収差を良好に補正することができる。
【発明の効果】
【００１２】
上記構成をなす撮像レンズによれば、小型化、薄型化、軽量化、低コスト化等を達成しつつ、諸収差が良好に補正され、明るくて（Ｆ値が小さくて）、光学性能が高く、携帯電話機、携帯型パーソナルコンピュータ、携帯型音楽プレーヤ等の携帯情報端末装置に搭載されるモバイルカメラに好適な撮像レンズを得ることができる。
【発明を実施するための最良の形態】
【００１３】
以下、本発明の最良の実施形態について、添付図面を参照しつつ説明する。
図１及び図２は本発明に係る撮像レンズの一実施形態を示すものであり、図１はその構成図、図２はその光路図である。
この撮像レンズは、図１に示すように、物体側から像面側に向けて順に配列された、所定の口径を有する開口絞りＳＤ、平凸形状の正の屈折力を有する第１レンズ１、メニスカス形状の正の屈折力を有する第２レンズ２、像面側の面が有効径の範囲内において曲率の向きが変化する変曲点をもつ非球面に形成された負の屈折力を有する第３レンズ３を備ええている。
そして、第３レンズ３の後方に赤外光カットフィルタあるいはカバーガラス等のガラスプレート４，５が配置され、ガラスプレート５の後方に像面Ｐが配置されるようになっている。
【００１４】
ここで、開口絞りＳＤ〜第１レンズ１〜第３レンズ３〜ガラスプレート４，５においては、図１に示すように、各々の面をＳｉ（ｉ＝０〜１０）、各々の面Ｓｉの曲率半径をＲｉ（ｉ＝０〜１０）、第１レンズ１〜第３レンズ３及びガラスプレート４，５のｄ線に対する屈折率をＮｉ（ｉ＝１〜５）及びアッベ数をνｉ（ｉ＝１〜５）で表す。また、開口絞りＳＤ〜像面Ｐまでの光軸Ｌ上における距離（厚さ、空気間隔）をＤｉ（ｉ＝０〜１０）で表す。さらに、第１レンズ１〜第３レンズ３のレンズ系の焦点距離をｆ、第１レンズ１の焦点距離をｆ１、第２レンズ２の焦点距離をｆ２で表す。
【００１５】
第１レンズ１は、ガラス材料により形成され、図１に示すように、物体側の面Ｓ１が凸面に形成され、像面側の面Ｓ２が平面に形成された正の屈折力を有する平凸形状のレンズである。ここで、物体側の面Ｓ１及び像面側の面Ｓ２の面は、球面に形成されているが、好ましくは非球面に形成されてもよい。非球面とすることにより、Ｆ値が小さくて明るい、諸収差が良好に補正された高い光学性能を確保することができる。
【００１６】
第２レンズ２は、好ましくはプラスチック材料により形成され（プラスチックレンズであり）、図１に示すように、物体側の面Ｓ３が凹面に形成され、像面側の面Ｓ４が凸面に形成された正の屈折力を有するメニスカス形状のレンズである。
第２レンズ２をプラスチックレンズとすることにより、ガラス材料で成型された場合に比べて、レンズ系の軽量化、低コスト化、生産コストの低減等を達成でき、又、非球面を容易に形成できるため、収差補正の自由度が増した分だけ、コンパクトな構成が可能となり、ガラス材料を用いる場合に比べて複雑な形状を容易に形成ないし加工することができる。ここで、物体側の面Ｓ３及び像面側の面Ｓ４の面は、球面に形成され、好ましくは非球面に形成される。非球面とすることにより、Ｆ値が小さくて明るい、諸収差が良好に補正された高い光学性能を確保することができる。
【００１７】
第３レンズ３は、好ましくはプラスチック材料により形成され（プラスチックレンズであり）、図１に示すように、物体側の面Ｓ５が光軸Ｌ近傍において凸面に形成され、像面側の面Ｓ６が光軸Ｌ近傍において凹面及び有効径の範囲内において曲率の向きが変化する変曲点をもち凸面に形成された負の屈折力を有するレンズである。
第３レンズ３をプラスチックレンズとすることにより、ガラス材料で成型された場合に比べて、レンズ系の軽量化、低コスト化、生産コストの低減等を達成でき、又、非球面を容易に形成できるため、収差補正の自由度が増した分だけ、コンパクトな構成が可能となり、ガラス材料を用いる場合に比べて、特に変曲点をもった複雑な形状を容易に形成ないし加工することができる。
ここで、像面側の面Ｓ６は非球面に形成されている。尚、好ましくは、物体側の面Ｓ５及び像面側の面Ｓ６は、共に非球面に形成される。これにより、Ｆ値が小さくて明るい、諸収差が良好に補正された高い光学性能を確保することができる。
【００１８】
すなわち、第１レンズ１及び第２レンズ２に正の屈折力、第３レンズ３に負の屈折力をもつようにレンズを配置することにより、適切なレンズバックを確保でき、赤外光カットフィルタ等のガラスフィルタ４，５を容易に配置できる。
また、第３レンズ３の像面側の面Ｓ６に有効径の範囲内において曲率の向きが変化する変曲点をもつ非球面を形成したことにより、諸収差を良好に補正することができる。
さらに、開口絞りＳＤを最前に配置すると共に第１レンズ１を平凸形状としたことにより、全長を短縮しつつ射出角度を抑えることができる。
【００１９】
また、上記構成に加えて、第１レンズ１〜第３レンズ３のレンズ系の焦点距離ｆ、第１レンズ１の焦点距離ｆ１、第２レンズ２の焦点距離ｆ２、第１レンズ１と第２レンズ２の光軸Ｌ上における間隔Ｄ２が、条件式（１），（２）
（１）０．９≦│ｆ１／ｆ２│≦１．０
（２）０．２≦Ｄ２／ｆ≦０．３
を満足するように形成されている。
条件式（１），（２）は、第１レンズ１及び第２レンズ２のパワー配置及び配置関係に関して規定したものである。│ｆ１／ｆ２│の値が条件式（１）の上限値又は下限値を超えると、焦点距離のパワーが片寄り、非点収差の補正が困難となり、レンズの光軸Ｌに対する製造誤差感度が高くなってしまい、周辺性能を維持するのが困難になる。また、Ｄ２／ｆの値が条件式（２）の下限値を超えると非点収差の補正が困難になり、Ｄ２／ｆの値が条件式（２）の上限値を超えるとレンズの全長が長くなり、さらには歪曲収差の補正が困難になる。
すなわち、条件式（１），（２）を満たすことで、適切にパワーを配置でき、レンズ系の全長を短くしつつ、諸収差、特に非点収差、歪曲収差等を良好に補正することができる。
【００２０】
尚、第１レンズ１〜第３レンズ３において、非球面は次式により規定される。
Ｚ＝Ｃｙ２／［１＋（１−εＣ２ｙ２）１／２］＋Ｄｙ４＋Ｅｙ６＋Ｆｙ８＋Ｇｙ１０
ただし、Ｚ：非球面の頂点における接平面から，光軸Ｌからの高さがｙの非球面上の点までの距離、ｙ：光軸からの高さ、Ｃ：非球面の頂点における曲率（＝１／Ｒ）、ε：円錐定数、Ｄ，Ｅ，Ｆ，Ｇ：非球面係数である。
【００２１】
上記構成の撮像レンズにおいては、第１レンズ１のアッベ数ν１、第２レンズ２のアッベ数ν２、及び第３レンズ３のアッベ数ν３が、好ましくは、条件式（３），（４）
（３）ν１−ν２＜１５
（４）ν１−ν３＜１５
を満足するように形成される。
条件式（３），（４）は、第１レンズ１〜第３レンズ３のアッベ数の範囲を規定したものである。（ν１−ν２）の値及び（ν１−ν３）の値が、それぞれ条件式（３），（４）から逸脱すると、光軸Ｌ寄りの中心部分の倍率色収差、軸上色収差の色収差は補正できたとしても、第３レンズ３の像側の面Ｓ６が有効径の範囲内で曲率の向きが変化し凸形状になっているため、周辺部分の倍率色収差、軸上色収差の補正が困難になる。
すなわち、（ν１−ν２）の値及び（ν１−ν３）の値が、条件式（３）（４）を満たすことにより、中心部から周辺部に亘る全域において、倍率色収差、軸上色収差を良好に補正することができ、明るくて（Ｆ値が小さくて）しかも高い解像力を得ることができる。
【００２２】
また、上記構成の撮像レンズにおいては、第１レンズ１〜第３レンズ３のレンズ系の焦点距離ｆ、第１レンズ１と第２レンズ２の光軸Ｌ上における間隔Ｄ２、第２レンズ２と第３レンズ３の光軸Ｌ上における間隔Ｄ４が、好ましくは、条件式（５）
（５）（Ｄ２＋Ｄ４）／ｆ≦０．２５
を満足するように形成される。
条件式（５）は、レンズ系の焦点距離に対するレンズ間隔を規定したものである。（Ｄ２＋Ｄ４）／ｆの値が条件式（５）を満たすことにより、レンズ系全長を短くでき、かつ、レンズ系の外径寸法を小さくでき、小型化、薄型化を達成することができる。また、諸収差、特に非点収差及び歪曲収差を良好に補正することができる。
【００２３】
次に、上記撮像レンズの具体的な数値による実施例を、実施例１、実施例２として以下に示す。
【実施例１】
【００２４】
実施例１における主な仕様諸元、種々の数値データ（設定値）、条件式（１）〜（５）の値は以下の通りである。また、実施例１における球面収差、非点収差、歪曲収差、倍率色収差は図３に示す結果となる。尚、図３中の非点収差において、Ｓはサジタル平面での収差、Ｍはメリジオナル平面での収差を示す。
この実施例１においては、第１レンズ１がガラス材料により形成され、第２レンズ２及び第３レンズ３が樹脂材料（プラスチック材料）により形成されている。また、非球面は、第２レンズ２の両面Ｓ３，Ｓ４及び第３レンズ３の両面Ｓ５，Ｓ６に形成されている。
【００２５】
＜条件式の値＞
（１）│ｆ１／ｆ２│＝│３．６／３．９│＝０．９２  →  ０．９≦０．９２≦１．０
（２）Ｄ２／ｆ＝０．８／３．７＝０．２２  →  ０．２≦０．２２≦０．３
（３）ν１−ν２＝７０．２−５６．３＝１３．９  →  １３．９＜１５
（４）ν１−ν３＝７０．２−５６．３＝１３．９  →  １３．９＜１５
（５）（Ｄ２＋Ｄ４）／ｆ＝（０．８＋０．０９）／３．６＝０．２５  →０．２５≦０．２５
【００２６】
＜仕様諸元＞
物体距離＝６０ｃｍ、第１レンズ１〜第３レンズ３のレンズ系の焦点距離ｆ＝３．７ｍｍ、第１レンズ１の焦点距離ｆ１＝３．６ｍｍ、第２レンズ２の焦点距離ｆ２＝３．９ｍｍ、Ｆ値（Ｆナンバー）＝２．９、射出瞳位置＝−３．６ｍｍ、最外角光線の射出角度＝−２２．１°、レンズ系全長（第１レンズ１〜像面Ｐ）＝５．０ｍｍ、レンズ全長（第１レンズ１〜第３レンズ３）＝３．７ｍｍ、バックフォーカス（空気換算）＝１．３ｍｍ、画角２ω＝６１．４°、ディストーション（ａｔ６００ｍｍ）＝＋０．５％、第１レンズ１の外径寸法φ＝１．７６ｍｍ、第２レンズ２の外径寸法φ＝２．３６ｍｍ、第３レンズ３の外径寸法＝３．９０ｍｍ
【００２７】
＜開口絞りＳＤ〜第１レンズ１〜第３レンズ３、ガラスプレート４，５の曲率半径Ｒｉ＞
Ｒ０＝∞（開口絞り）、Ｒ１＝１．７６９ｍｍ、Ｒ２＝∞、Ｒ３＝−０．８９９ｍｍ（非球面）、Ｒ４＝−０．７９１ｍｍ（非球面）、Ｒ５＝３．５８１ｍｍ（非球面）、Ｒ６＝１．１６６ｍｍ（非球面）、Ｒ７＝∞、Ｒ８＝∞、Ｒ９＝∞、Ｒ１０＝∞
【００２８】
＜光軸上の面間隔（ｍｍ）＞
Ｄ０＝０．０００ｍｍ、Ｄ１＝０．９９５ｍｍ、Ｄ２＝０．８００ｍｍ、Ｄ３＝０．６９８ｍｍ、Ｄ４＝０．０９０ｍｍ、Ｄ５＝０．８５６ｍｍ、Ｄ６＝０．６８０ｍｍ、Ｄ７＝０．３００ｍｍ、Ｄ８＝０．１２５ｍｍ、Ｄ９＝０．４００ｍｍ、Ｄ１０＝０．０４５ｍｍ
【００２９】
＜第１レンズ１〜第３レンズ３、ガラスプレート４，５の屈折率Ｎｉ（ｄ線）＞
Ｎ１＝１．４８７００、Ｎ２＝１．５２５００、Ｎ３＝１．５２５００、Ｎ４＝１．５１７００、Ｎ５＝１．５１７００
＜第１レンズ１〜第３レンズ３、ガラスプレート４，５のアッベ数νｉ＞
ν１＝７０．２、ν２＝５６．３、ν３＝５６．３、ν４＝６４．２、ν５＝６４．２
【００３０】
＜非球面係数の数値データ＞
＜Ｓ３面＞
ε＝−１．９０７４２４０、Ｄ＝−３．５９３３８６２×１０−１、Ｅ＝１．４９１２６３０×１０−１、Ｆ＝２．４１７１３８９×１０−１、Ｇ＝−１．４８６９１１９×１０−１
＜Ｓ４面＞
ε＝０．０００００００、Ｄ＝１．２８２４９３５×１０−１、Ｅ＝−１．８６９９１４２×１０−１、Ｆ＝２．０２６３３７５×１０−１、Ｇ＝−４．８９０５６８７×１０−２
＜Ｓ５面＞
ε＝１．７４５５５９６、Ｄ＝−１．０７９８４９９×１０−１、Ｅ＝５．６７２６１５６×１０−２、Ｆ＝−２．０９５９２７１×１０−２、Ｇ＝２．３０９０３８８×１０−３
＜Ｓ６面＞
ε＝−６．６２３１３３、Ｄ＝−６．５９２６９０６×１０−２、Ｅ＝２．４１４４１４３×１０−２、Ｆ＝−６．４９８１５０２×１０−３、Ｇ＝５．３０２５４９１×１０−４
【００３１】
上記実施例１においては、レンズ系全長が５．０ｍｍと短く（薄型で）、Ｆ値（Ｆナンバー）が２．９と明るく、画角２ωが６１．４°で、図３に示すように諸収差が良好に補正された高い光学性能を確保でき、携帯電話機、携帯型パーソナルコンピュータ、携帯型音楽プレーヤ等の携帯情報端末装置に搭載されるモバイルカメラに好適な撮像レンズが得られた。
【実施例２】
【００３２】
実施例２における主な仕様諸元、種々の数値データ（設定値）、条件式（１）〜（５）の値は以下の通りである。また、実施例１における球面収差、非点収差、歪曲収差、倍率色収差は図３に示す結果となる。尚、図４中の非点収差において、Ｓはサジタル平面での収差、Ｍはメリジオナル平面での収差を示す。
この実施例２においては、第１レンズ１がガラス材料により形成され、第２レンズ２及び第３レンズ３が樹脂材料（プラスチック材料）により形成されている。また、非球面は、第２レンズ２の両面Ｓ３，Ｓ４及び第３レンズ３の両面Ｓ５，Ｓ６に形成されている。
【００３３】
＜条件式の値＞
（１）│ｆ１／ｆ２│＝│３．７／３．７│＝１．０  →  ０．９≦１．０≦１．０
（２）Ｄ２／ｆ＝０．８／３．５４＝０．２３  →  ０．２≦０．２３≦０．３
（３）ν１−ν２＝７０．２−５６．３＝１３．９  →  １３．９＜１５
（４）ν１−ν３＝７０．２−５６．３＝１３．９  →  １３．９＜１５
（５）（Ｄ２＋Ｄ４）／ｆ＝（０．８＋０．０８）／３．５４＝０．２５  →０．２５≦０．２５
【００３４】
＜仕様諸元＞
物体距離＝６０ｃｍ、第１レンズ１〜第３レンズ３のレンズ系の焦点距離＝３．５４ｍｍ、第１レンズ１の焦点距離ｆ１＝３．７ｍｍ、第２レンズ２の焦点距離ｆ２＝３．７ｍｍ、Ｆナンバー＝２．９、射出瞳位置＝−３．６ｍｍ、最外角光線の射出角度＝−２２．２°、レンズ系全長４．９ｍｍ、レンズ全長＝３．５ｍｍ、バックフォーカス（空気換算距離）＝１．４ｍｍ、画角２ω＝６３．９°、ディストーション（ａｔ６００ｍｍ）＝＋０．１％、第１レンズ１の外径寸法φ＝１．７２ｍｍ、第２レンズ２の外径寸法φ＝２．３２ｍｍ、第３レンズ３の外径寸法＝３．９０ｍｍ
【００３５】
＜開口絞りＳＤ〜第１レンズ１〜第３レンズ３、ガラスプレート４，５の曲率半径Ｒｉ＞
Ｒ０＝∞（開口絞り）、Ｒ１＝１．８２ｍｍ、Ｒ２＝∞、Ｒ３＝−０．９４８ｍｍ（非球面）、Ｒ４＝−０．７８９ｍｍ（非球面）、Ｒ５＝３．７３４ｍｍ（非球面）、Ｒ６＝１．２１４ｍｍ（非球面）、Ｒ７＝∞、Ｒ８＝∞、Ｒ９＝∞、Ｒ１０＝∞
【００３６】
＜光軸上の面間隔（ｍｍ）＞
Ｄ０＝０．０００ｍｍ、Ｄ１＝０．９００ｍｍ、Ｄ２＝０．８００ｍｍ、Ｄ３＝０．６７２ｍｍ、Ｄ４＝０．０８０ｍｍ、Ｄ５＝０．８３０ｍｍ、Ｄ６＝０．７２５ｍｍ、Ｄ７＝０．３００ｍｍ、Ｄ８＝０．１２５ｍｍ、Ｄ９＝０．４００ｍｍ、Ｄ１０＝０．０４５ｍｍ
＜第１レンズ１〜第３レンズ３、ガラスプレート４，５の屈折率Ｎｉ（ｄ線）＞
Ｎ１＝１．４８７００、Ｎ２＝１．５２５００、Ｎ３＝１．５２５００、Ｎ４＝１．５１７００、Ｎ５＝１．５１７００
＜第１レンズ１〜第３レンズ３、ガラスプレート４，５のアッベ数νｉ＞
ν１＝７０．２、ν２＝５６．３、ν３＝５６．３、ν４＝６４．２、ν５＝６４．２
【００３７】
＜非球面係数の数値データ＞
＜Ｓ３面＞
ε＝−２．２９５２６００、Ｄ＝−３．４３１０９００×１０−１、Ｅ＝１．５７３５９００×１０−１、Ｆ＝２．４０１００００×１０−１、Ｇ＝−１．５３８６１００×１０−１
＜Ｓ４面＞
ε＝０．０００００００、Ｄ＝１．３２１７３００×１０−１、Ｅ＝−１．８３３９８００×１０−１、Ｆ＝２．０３６８５００×１０−１、Ｇ＝−４．８５２３０００×１０−２
＜Ｓ５面＞
ε＝０．５８７２２８０、Ｄ＝−１．０６５１５００×１０−２、Ｅ＝５．６２７９０００×１０−２、Ｆ＝−２．２５１６０００×１０−２、Ｇ＝２．５１９０９９０×１０−３
＜Ｓ６面＞
ε＝−６．８４０４８３０、Ｄ＝−６．８２４７０００×１０−２、Ｅ＝２．３７８００００×１０−２、Ｆ＝−６．２８３７３３０×１０−３、Ｇ＝４．６６４１３２０×１０−４
【００３８】
上記実施例２においては、レンズ系全長が４．９ｍｍと短く（薄型で）、Ｆ値（Ｆナンバー）が２．９と明るく、画角２ωが６３．９°で、図４に示すように諸収差が良好に補正された高い光学性能を確保でき、携帯電話機、携帯型パーソナルコンピュータ、携帯型音楽プレーヤ等の携帯情報端末装置に搭載されるモバイルカメラに好適な撮像レンズが得られた。
【産業上の利用可能性】
【００３９】
以上述べたように、本発明の撮像レンズは、小型化、薄型化、軽量化、低コスト化等を達成しつつ、諸収差が良好に補正でき、明るくて（Ｆ値が小さくて）光学性能が高いため、携帯電話機、携帯型パーソナルコンピュータ、携帯型音楽プレーヤ等の携帯情報端末装置に搭載されるモバイルカメラに適用できるのは勿論のこと、その他の小型化が要求される監視カメラ又は車載カメラの撮像レンズとしてあるいは小型化が特に要求されないその他の光学系においても有用である。
【図面の簡単な説明】
【００４０】
【図１】本発明に係る撮像レンズの一実施形態を示す構成図である。
【図２】図１に示す撮像レンズの光路図である。
【図３】実施例１における球面収差、非点収差、歪曲収差、倍率色収差の諸収差を示す収差図である。
【図４】実施例２における球面収差、非点収差、歪曲収差、倍率色収差の諸収差を示す収差図である。
【符号の説明】
【００４１】
Ｌ  光軸
ＳＤ  開口絞り
Ｐ  像面
１  第１レンズ
２  第２レンズ
３  第３レンズ
４，５  ガラスプレート
ｆ  第１レンズ〜第３レンズのレンズ系の焦点距離
ｆ１  第１レンズの焦点距離
ｆ２  第２レンズの焦点距離
ν１  第１レンズのアッベ数
ν２  第２レンズのアッベ数
ν３  第３レンズのアッベ数
Ｄ２  第１レンズと第２レンズの光軸上における間隔
Ｄ４  第２レンズと第３レンズの光軸上における間隔
【図１】
2007310046.tif 000003
【図２】
2007310046.tif 000004
【図３】
2007310046.tif 000005
【図４】
2007310046.tif 000006